(57)【要約】      （修正有）【課題】１枚のシートから簡単に組み立てられる多角形箱を提供する。【解決手段】単位側壁には、該側壁を立ち上げたとき、箱内側底壁にかけて斜めとなる、切り込みＫを有する係止側壁３ｃを設け、単位側壁の係止片２ｃの端部Ｓが斜めの切り込みＫに係止するようにした。２つの単位側壁を起立させ、次にその間に入る単位側壁を起立させ係止片２ｃを底壁１に接地させると、自動的に連続する３つの単位側壁は起立状態で係止される。即ち、従来方式による組み立てに比べ作業は大幅に軽減される。更に従来方式では組み立て後、係止片を互い違いに上下を入れ替えるため、係止片の並び方が不揃いになり見栄えが悪かったのに対し、係止片は全て底壁に接地し箱に高級感が得られるようになるという効果も生じる。【選択図】図２
0003172717.tif 000002
【実用新案登録請求の範囲】
【請求項１】
組み立て式の多角形紙箱において、多角形底壁１と底壁１の一辺に折り筋ａ、ｂ、ｃを介して、外方側壁２ａと内方側壁２ｂと係止片２ｃが順次連設された単位側壁２と、
前記単位側壁２と隣り合う底壁１の辺に折り筋ｄ、ｅ、ｆ、ｇを介して、外方側壁３ａ、内方側壁３ｂ、傾斜側壁３ｃ、被係止片３ｄが順次連設され、前記内方側壁３ｂは、前記外方側壁３ａを起立させ、前記内方側壁３ｂを内面に折り曲げたとき、前記底壁１平面には届かない高さであり、前記傾斜側壁３ｃを含めると外方側壁３ａより長くなり、前記内方側壁３ｂを直立起立した前記外方側壁３ａに重ねて折り曲げると、前記傾斜側壁３ｃが直立起立した前記外方側壁３ａと前記底壁１平面に対して斜めになる関係にあり、前記傾斜側壁３ｃの左右両端は前記内方側壁３ｂの横幅より短くなっており、更に前記外方側壁３ａ及び又は前記内方側壁３ｂの左右端には折り筋ｈを介して側壁連結片３ｅが連設されている単位側壁３とから少なくとも成り、
単位側壁３の外方側壁３ａを直立起立させ、内方側壁３ｂを外方側壁３ａに沿って内側に折り曲げ、単位側壁２の外方側壁２ａを起立させ、単位側壁３の側壁連結片３ｅを外方側壁２ａと内方側壁２ｂとの間に挟み込んで内方側壁２ｂを内側に折り曲げ、係止片２ｃの左右側端部Ｓを単位側壁３の斜めになった傾斜側壁３ｃの側端辺Ｋに係止することで、係止片２ｃは被係止片３ｄを底壁１との間に押さえつけ、単位側壁２、３の起立を確保する事を特徴とする多角形紙製組み立て箱。
【考案の詳細な説明】
【技術分野】
【０００１】
簡単に組み立てられる多角形組み立て箱に関する。
【背景技術】
【０００２】
従来技術として４角形、６角形、８角形などの接着剤を用いないで組み立てられる多角形紙箱が知られている（特許文献１）。
従来技術としての特許文献１の第７図及び第８図で分かるように、側壁連結片をそれを持たない単位側壁で挟み込んでも、組み立てには係止片を交互に上下を入れ替えないと係止されない。即ち、従来方式では組み立て後、係止片の上下を入れ替えるという面倒な作業を必要とするという問題があった。
【特許文献１】実案昭６１−１１９９１４
【考案の開示】
【考案が解決しようとする課題】
【０００３】
本考案が解決しようとしている課題は、上記問題点である係止片の上下入れ替え作業を必要としない、簡単に組み立てられる多角形組み立て箱を提供することにある。
【課題を解決するための手段】
【０００４】
課題解決手段は、組み立て式の多角形紙箱において、多角形底壁１と底壁１の一辺に折り筋ａ、ｂ、ｃを介して、外方側壁２ａと内方側壁２ｂと係止片２ｃが順次連設された単位側壁２と、前記単位側壁２と隣り合う底壁１の辺に折り筋ｄ、ｅ、ｆ、ｇを介して、外方側壁３ａ、内方側壁３ｂ、傾斜側壁３ｃ、被係止片３ｄが順次連設され、前記内方側壁３ｂは、前記外方側壁３ａを起立させ、前記内方側壁３ｂを内面に折り曲げたとき、前記底壁１平面には届かない高さであり、前記傾斜側壁３ｃを含めると外方側壁３ａより長くなり、前記内方側壁３ｂを直立起立した前記外方側壁３ａに重ねて折り曲げると、前記傾斜側壁３ｃが直立起立した前記外方側壁３ａと前記底壁１平面に対して斜めになる関係にあり、前記傾斜側壁３ｃの左右両端は前記内方側壁３ｂの横幅より短くなっており、更に前記外方側壁３ａ及び又は前記内方側壁３ｂの左右端には折り筋ｈを介して側壁連結片３ｅが連設されている単位側壁３とから少なくとも成り、
単位側壁３の外方側壁３ａを直立起立させ、内方側壁３ｂを外方側壁３ａに沿って内側に折り曲げ、単位側壁２の外方側壁２ａを起立させ、単位側壁３の側壁連結片３ｅを外方側壁２ａと内方側壁２ｂとの間に挟み込んで内方側壁２ｂを内側に折り曲げ、係止片２ｃの左右側端部Ｓを単位側壁３の斜めになった傾斜側壁３ｃの側端辺Ｋに係止することで、係止片２ｃは被係止片３ｄを底壁１との間に押さえつけ、単位側壁２、３の起立を確保する事を特徴とする多角形紙製組み立て箱とする。
【考案の効果】
【０００５】
考案の効果は次の通りである。即ち、２つの単位側壁３を起立させ、次にその間に入る単位側壁２を起立させ係止片２ｃを底壁１に接地させると、自動的に連続する３つの単位側壁は起立状態で係止される。即ち、従来方式による組み立てに比べ作業は大幅に軽減される。更に従来方式では組み立て後、係止片を互い違いに上下を入れ替えるかめ、係止片の並び方が不揃いになり見栄えが悪かったのに対し、本考案によれば係止片は全て底壁に接地し箱に高級感が得られるようになるという効果も生じる。
【考案を実施するための最良の形態】
【０００６】
図１は本実施例８角箱の展開図である。底壁１の８辺には単位側壁２及び３が交互に折り筋ａ及びｄを介して連設されている。
【０００７】
図２は図１に於いて、２つの単位側壁３の外方側壁３ａを折り筋ｄで立ち上げ、内方側壁３ｂを折り筋ｅから箱内側に折り曲げ、後からその間に入る単位側壁２の外方側壁２ａを立ち上げた様子の斜視図である。
【０００８】
図３は図２の状態からから、単位側壁２の内方側壁２ｂを箱内側に折り筋ｂから係止片２ｃが、外方側壁２ａ及び底壁１に接するようにしっかり折り曲げると、係止片２ｃの左右側端部Ｓが傾斜側壁３ｃの側端辺Ｋに係止され、単位側壁３、２、３がセットになって立ち上がり状態が係止されたことを示す斜視図である。単位側壁２は両隣の単位側壁３の側壁連結片３ｅを内方側壁２ａと外方側壁２ｂの間に挟み込み、一方単位側壁２の係止片２ｃは単位側壁３の被係止片３ｃを底壁１に押さえつけており、単位側壁３、２、３は起立状態が保たれる。
【０００９】
残りの単位側壁は同様にして起立、係止される。８つの単位側壁が起立係止され、８角箱が組み立てられた完成斜視図が図４でるある。従来技術では、この状態から、係止片と被係止片の上下を全て入れ替えなければ係止出来なかった。単位側壁３に内方側壁３ｂより左右で狭幅になった傾斜係止側壁３ｃを設け、係止片２ｃの左右側端Ｓが係止されるようにした事が本考案のポイントになっている。
【００１０】
図５は図４に於ける単位側壁３のＸ−Ｘ断面図である。斜めになった係止側壁３ｃの断面奧に係止片２ｃが係止されている様子を示す。図６は図４に於ける単位側壁２のＹ−Ｙ断面図を示し、単位側壁２は外方側壁２ａと内方側壁２ｂとの間に単位側壁３の側壁連結片３ｅを挟み込んでいる。
【００１１】
図７は従来技術による８角箱の組み立て完成斜視図を示す。尚、本考案に対する上記説明より、４角形、６角形を含む多角形に同様に適用出来ることが理解できよう。
【図面の簡単な説明】
【００１２】
【図１】展開平面図
【図２】組み立て途中斜視図１
【図３】組み立て途中斜視図２
【図４】組み立て完成斜視図
【図５】Ｘ−Ｘ断面図
【図６】Ｙ−Ｙ断面図
【図７】従来技術箱組み立て完成斜視図
【符号の説明】
【００１３】
１              底壁
２、３          単位側壁
２ａ、３ａ      外方側壁
２ｂ、３ｂ      内方側壁
２ｃ            係止片
３ｃ            傾斜側壁
３ｄ            被係止片
３ｅ            側壁連結片
Ｋ              傾斜側壁側端辺
Ｓ              係止片端部
【図１】
0003172717.tif 000003
【図２】
0003172717.tif 000004
【図３】
0003172717.tif 000005
【図４】
0003172717.tif 000006
【図５】
0003172717.tif 000007
【図６】
0003172717.tif 000008
【図７】
0003172717.tif 000009